(57)【要約】【課題】机の天板の後部両側に支柱を立設し、該両支柱に多段に棚板を取付けるとともに、最下段の棚板の下方であって両支柱間に前面パネルを着脱可能に取付けて、棚の強度を高め得るとともに、前面パネル自体の強度が高く、しかも軽量で安価である棚付き机を提供する。【解決手段】前面パネル８は、両支柱６間の間隔に一致した横幅の表面板２３と、その下端に前方へ折曲した閉塞板２５とで側面視略Ｌ字形となし、閉塞板を天板１の上面と面一に設定するとともに、天板の後端面に接合した状態で着脱可能に取付けてなる。【選択図】　　　　図１
2004016401.tif 000002
【特許請求の範囲】
【請求項１】
机の天板の後部両側に支柱を立設し、該両支柱に多段に棚板を取付けるとともに、最下段の棚板の下方であって両支柱間に前面パネルを着脱可能に取付けてなる棚付き机であって、前記前面パネルは、両支柱間の間隔に一致した横幅の表面板と、その下端に前方へ折曲した閉塞板とで側面視略Ｌ字形となし、前記閉塞板を前記天板の上面と面一に設定するとともに、天板の後端面に接合した状態で着脱可能に取付けてなることを特徴とする棚付き机。
【請求項２】
前記前面パネルは、前記表面板の両側端に前記支柱の内面へ取付ける端板を形成するとともに、表面板の下縁に前方へ直角に突出した閉塞板を一体形成し、更に該閉塞板の前端に下方へ直角に補強部を一体形成してなる請求項１記載の棚付き机。
【請求項３】
前記前面パネルを、上部パネルと下部パネルとに分割し、両支柱間の内側面に上部パネルと下部パネルとを隙間を設けて着脱可能に取付けるとともに、前記下部パネルは、表面板とその下端に前方へ折曲した閉塞板とで側面視略Ｌ字形となしたものである請求項１又は２記載の棚付き机。
【請求項４】
前記上部パネルの下端に表面板から後方上方へ立ち上がった傾斜板を形成してなる請求項３記載の棚付き机。
【発明の詳細な説明】
【０００１】
【発明の属する技術分野】
本発明は、棚付き机に係わり、更に詳しくは天板の後部上方に棚を設けた棚付き机に関するものである。
【０００２】
【従来の技術】
従来、机の天板の後部に、両側支柱間に複数の横ビームを渡設した構成した枠体を立設し、該枠体にブラケットを介して多段に棚板を装着した棚を設けた棚付き机は既に提供されている。しかし、支柱の高さが高くなると、横ビームだけでは枠体の強度が不足することになる。
【０００３】
また、枠体内にパネル等を固定して強度を高めることは公知であるが、板金でパネルを構成する場合、板状のパネルの曲げ強度を大きくするには横方向に補強部材を固定する必要があり、重量が増大するとともに、コスト高となる。
【０００４】
【発明が解決しようとする課題】
本発明が前述の状況に鑑み、解決しようとするところは、机の天板の後部両側に支柱を立設し、該両支柱に多段に棚板を取付けるとともに、最下段の棚板の下方であって両支柱間に前面パネルを着脱可能に取付けて、棚の強度を高め得るとともに、前面パネル自体の強度が高く、しかも軽量で安価である棚付き机を提供する点にある。
【０００５】
【課題を解決するための手段】
本発明は、前述の課題解決のために、机の天板の後部両側に支柱を立設し、該両支柱に多段に棚板を取付けるとともに、最下段の棚板の下方であって両支柱間に前面パネルを着脱可能に取付けてなる棚付き机であって、前記前面パネルは、両支柱間の間隔に一致した横幅の表面板と、その下端に前方へ折曲した閉塞板とで側面視略Ｌ字形となし、前記閉塞板を前記天板の上面と面一に設定するとともに、天板の後端面に接合した状態で着脱可能に取付けてなる棚付き机を構成した。
【０００６】
ここで、前記前面パネルは、前記表面板の両側端に前記支柱の内面へ取付ける端板を形成するとともに、表面板の下縁に前方へ直角に突出した閉塞板を一体形成し、更に該閉塞板の前端に下方へ直角に補強部を一体形成してなることが好ましい。
【０００７】
また、前記前面パネルを、上部パネルと下部パネルとに分割し、両支柱間の内側面に上部パネルと下部パネルとを隙間を設けて着脱可能に取付けるとともに、前記下部パネルは、表面板とその下端に前方へ折曲した閉塞板とで側面視略Ｌ字形となしたものでも良い。
【０００８】
この場合、前記上部パネルの下端に表面板から後方上方へ立ち上がった傾斜板を形成してなることがより好ましい。
【０００９】
【発明の実施の形態】
次に本発明の実施の形態を添付図面に基づき更に詳細に説明する。図１は本発明に係る棚付き机の全体斜視図、図２〜図４は各部材の組立構造を示し、図中符号Ａは机、Ｂは棚、１は天板、２は脚部、３は幕板、４は下部棚板、５は連結部材、６は支柱、７は棚板、８は前面パネル、９は照明具、１０は落下防止バーをそれぞれ示している。
【００１０】
本発明に係る棚付き机は、図１に示すように、机Ａの背後に棚Ｂを連結して構成したものである。前記机Ａは、天板１の両側部に脚部２，２を固定するとともに、両脚部２，２の後端部間に幕板３を渡設して剛性を持たせ、天板１下の足入れ空間内であって、前記幕板３の前面側に下部棚板４を着脱可能に取付けたものである。ここで、本実施形態において、前記机Ａは、通常の構造のスチール製机であり、既製のものを使用できる。また、前記棚Ｂは、前記机Ａの両脚部２，２の後端にそれぞれ連結部材５，５を介して支柱６，６を立設し、該両支柱６，６に多段に棚板７，…を取付けるとともに、最下段の棚板７の下方であって両支柱６，６間に前面パネル８を着脱可能に取付け、更に所定高さの棚板７の下面に照明具９を着脱可能に取付けた構造のものである。そして、前記下部棚板４の前縁部に落下防止バー１０を装着している。
【００１１】
更に詳しくは、図２〜図４に示すように、前記机Ａの両脚部２，２の後端部に連結部材５，５を介してそれぞれ支柱６，６を立設するとともに、両支柱６，６の上端間を横杆１１で連結してフレーム構成し、前記支柱６の前面側に形成した係止孔１２，…を利用してブラケット１３を嵌合係止し、両ブラケット１３，１３で前記棚板７の両側端部を支持した構造となっている。
【００１２】
ここで、前記脚部２の後端は、前記天板１の後端よりも前方位置に設定されたタイプの机Ａを用いたため、前記連結部材５を介して支柱６を立設するようにしているが、脚部２の後端と天板１の後端が一致するタイプの机であれば、前記支柱６を直接脚部２の後端に取付けても良い。
【００１３】
前記連結部材５は、図２〜図４に示すように、前記脚部２の後端と天板１の後端の間の隙間を埋める化粧板１４の前縁に、脚部２の後端面に接合し且つ脚部２の後端部内面に連結するための平面視Ｌ字形の固定板１５を直角に形成するとともに、化粧板１４の後縁に前記支柱６の前面と内側面とに接合してネジ止めするための断面略Ｌ字形の取付板１６を折曲形成したものである。尚、前記連結部材５の固定板１５を前記脚部２の後端部内面に連結する構造は、本来、机Ａの幕板３を連結するために用いていた構造をそのまま利用する。つまり、前記連結部材５の固定板１５は、幕板３の端面を連結するためのネジを用いて取付けることができるようにし、その代わりに該連結部材５の固定板１５より後方側に沿って幕板取付部１７を固定している。この幕板取付部１７は、本来、前記脚部２の幕板３を連結するために後端部内面に設けていた構造と同じ構造にしている。例えば、前記脚部２の後端部内面と幕板取付部１７には螺孔１８，…を形成してネジ１９とネジピン２０を螺合可能とし、前記固定板１５にはネジ１９にて締着するための通孔２１，…を形成し、幕板取付部１７の螺孔１８に螺合したネジピン２０に前記幕板３の端面に形成したダルマ孔２２，…を嵌合係止するようにしている。ここで、前記連結部材５を介して脚部２に支柱６を連結した状態では、脚部２の外面、化粧板１４及び支柱６の外側面とが面一になるように設定し、また外部からは前記固定板１５及び取付板１６は見えないようになっている。
【００１４】
前記前面パネル８は、スチール製の表面板２３の両側端に前記支柱６の内面へ取付ける端板２４，２４を形成するとともに、表面板２３の下縁に前方へ直角に突出した閉塞板２５を一体形成し、更に該閉塞板２５の前端に下方へ直角に補強部２６を一体形成し、前記閉塞板２５を前記机Ａの天板１の上面と面一に設定するとともに、前記補強部２６を天板１の後端面に接合した状態で前記端板２４，２４を両支柱６，６の内側面に着脱可能に取付けている。つまり、前記前面パネル８は、両支柱６，６間の間隔に一致した横幅の表面板２３と、その下端の閉塞板２５とで側面視略Ｌ字形となっている。ここで、両支柱６，６間に前面パネル８を取付けることにより、棚Ｂの剛性が高くなり、強度が増すとともに、天板１と閉塞板２５が面一になるので、天板面が拡張するばかりでなく、天板１の後方に筆記具や書類等の物品の落下を防止できる。また、前面パネル８は、背後を隠すので目隠しの働きをなし、更にその前面に書類をマグネットで吸着して保持することができ、掲示ボードとしても利用できる。
【００１５】
更に詳しくは、前記前面パネル８は、図３及び図４に示すように、表面板２３の両側縁を後方へ折曲して前記端板２４，２４を形成するとともに、表面板２３の上縁を後方へ折曲して上板２７を形成し、前記端板２４，２４に形成した通孔２８，２８を利用してネジ２９で前記支柱６の内側面の後端寄りに螺合して取付ける。しかし、前記前面パネル８を支柱６へ取付ける構造は、特に限定されるものではない。また、前記前面パネル８の表面板２３の下縁に形成した閉塞板２５の前端には、補強部２６を一体形成しているが、該補強部２６は垂直な当接板３０とその下縁に後方へ向け、更にその後端を立ち上げて形成したＬ字形補強板３１からなっている。従って、前記前面パネル８は、閉塞板２５と補強部２６とで曲げ剛性が高くなっているが、強度が不足する場合には、表面板２３の背面に横方向に補強部材を固定しても何ら差し支えない。尚、前記補強板３１は、当接板３０の下端から前方へ折曲し、前記天板１の下面に接合する構造であっても良い。
【００１６】
次に、前記前面パネル８の他の実施形態を図５及び図６に基づいて説明する。本実施形態の前面パネル８は、上部パネル８Ａと下部パネル８Ｂとに分離して構成したものである。前記上部パネル８Ａは、表面板２３Ａの両側端に端板２４Ａ，２４Ａを形成し、該端板２４Ａには前記支柱６の内側面の上下部に突設したネジピン３２，３２を前面側から受入れて落し込み係合する係合孔３３，３３を形成し、下端縁には表面板２３Ａから後方上方へ立ち上がった傾斜板３４を有している。また、前記下部パネル８Ｂは、上下幅の狭い表面板２３Ｂの下縁に前方へ直角に突出した閉塞板２５Ｂを一体形成し、更に該閉塞板２５Ｂの前端に下方へ直角に補強部２６Ｂを一体形成し、更に表面板２３Ｂの両側端の端板２４Ｂ，２４Ｂには、下端に前記支柱６の内側面に突設したネジピン３５に上方から係合する切欠孔３６を形成するとともに、端板２４Ｂの上部には支柱６の内側面にネジ３７にて締着するための通孔３８を形成している。
【００１７】
そして、前記両支柱６，６の内側面であって、上部前方寄り位置に前記上部パネル８Ａを着脱可能に取付けるとともに、下部後方寄り位置に前記下部パネル８Ｂを取付けている。尚、前記上部パネル８Ａと下部パネル８Ｂの間には、図７に示すように、隙間３９が形成されるように取付けている。また、本実施形態でも、前記下部パネル８Ｂの前記閉塞板２５Ｂを前記机Ａの天板１の上面と面一に設定するとともに、前記補強部２６Ｂを天板１の後端面に接合した状態で取付けている。
【００１８】
図７は、本発明に係る棚付き机を２台背面合わせで設置した使用例であり、その場合、前後に位置する前記上部パネル８Ａ，８Ａ間と下部パネル８Ｂ，８Ｂ間は配線用空間４０として利用できる。例えば、最下段の棚板７の下面に取付けた照明具９への電源コード４１を、前述の配線用空間４０に配線することができる。また、天板１の上面に電気機器を載置した場合、その電気機器への配線コードを前記隙間３９から通して配線することができる。
【００１９】
また、本発明に係る棚付き机は、棚Ｂの背が高いので、地震等の振動によって移動したり、後方へ倒れる恐れもある。しかし、棚付き机を単独で壁面に沿わせて設置している場合や、２台背面合わせで設置した場合には、倒れる恐れはないが、やはり移動することは考えられる。そこで、前記机Ａの脚部２の下端や支柱６の下端に設けるアジャスター４２に、図８に示すように、床面との摩擦係数が大きなゴム製等のキャップ４３を外装することも好ましい。更に、図９に示すように、本発明に係る棚付き机を、島置き状態で単独に使用する場合には、前記支柱６の下部背後に直角三角形状の支持部材４４を取付け、該支持部材４４の下端後部に設けたアジャスター４２に、前記キャップ４３を装着すると、移動や傾倒の恐れがなくなり好ましい。
【００２０】
【発明の効果】
以上にしてなる請求項１に係る発明の棚付き机は、机の天板の後部両側に支柱を立設し、該両支柱に多段に棚板を取付けるとともに、最下段の棚板の下方であって両支柱間に前面パネルを着脱可能に取付けてなる棚付き机であって、前記前面パネルは、両支柱間の間隔に一致した横幅の表面板と、その下端に前方へ折曲した閉塞板とで側面視略Ｌ字形となし、前記閉塞板を前記天板の上面と面一に設定するとともに、天板の後端面に接合した状態で着脱可能に取付けてなるので、棚の剛性が高くなり、強度が増すにも係らず、軽量且つ低コストであり、また天板と閉塞板が面一になるので、天板面が拡張するばかりでなく、天板の後方に筆記具や書類等の物品の落下を防止でき、前面パネルは背後を隠すので目隠しの働きをなすのである。更に、前面パネルをスチール製とすれば、その前面に書類をマグネットで吸着して保持することができ、掲示ボードとしても利用できる。
【００２１】
請求項２によれば、前面パネルの曲げ強度が更に向上するのである。
【００２２】
請求項３によれば、前述の効果に加えて、上部パネルと下部パネル間の隙間を通して配線することができ、また上部パネルと下部パネルとが着脱可能であるので配線作業も容易になる。
【００２３】
請求項４によれば、上部パネルの下端に傾斜板を形成したので、上部パネルと下部パネル間の隙間に配線しても配線コードを傷付けたり、また配線作業中に指を怪我することがないのである。
【図面の簡単な説明】
【図１】本発明に係る棚付き机の全体斜視図である。
【図２】基本構造の分解斜視図である。
【図３】同じく組立てた状態の部分横断面図である。
【図４】同じく組立てた状態の部分縦断面図である。
【図５】前面パネルの他の実施形態を示す分解斜視図である。
【図６】同じく拡大部分分解斜視図である。
【図７】本発明の２台の棚付き机を背面合わせで設置した状態を、棚部分を断面で示した側面図である。
【図８】机の脚部に設けたアジャスターを示し、（ａ）は縦断面図、（ｂ）は斜視図をそれぞれ示している。
【図９】本発明に係る棚付き机を島置き状態で単独に使用する場合を実施形態を示す側面図である。
【符号の説明】
Ａ　机　　　　　　　　Ｂ　棚
１　天板　　　　　　　２　脚部
３　幕板　　　　　　　４　下部棚板
５　連結部材　　　　　６　支柱
７　棚板　　　　　　　８　前面パネル
８Ａ　上部パネル　　　８Ｂ　下部パネル
９　照明具　　　　　　１０　落下防止バー
１１　横杆　　　　　　１２　係止孔
１３　ブラケット　　　１４　化粧板
１５　固定板　　　　　１６　取付板
１７　幕板取付部　　　１８　螺孔
１９　ネジ　　　　　　２０　ネジピン
２１　通孔　　　　　　２２　ダルマ孔
２３、２３Ａ、２３Ｂ　表面板
２４、２４Ａ、２５Ｂ　端板
２５、２５Ｂ　閉塞板　２６、２６Ｂ　補強部
２７　上板　　　　　　２８　通孔
２９　ネジ　　　　　　３０　当接板
３１　補強板　　　　　３２　ネジピン
３３　係合孔　　　　　３４　傾斜板
３５　ネジピン　　　　３６　切欠孔
３７　ネジ　　　　　　３８　通孔
３９　隙間　　　　　　４０　配線用空間
４１　電源コード　　　４２　アジャスター
４３　キャップ　　　　４４　支持部材
【図１】
2004016401.tif 000003
【図２】
2004016401.tif 000004
【図３】
2004016401.tif 000005
【図４】
2004016401.tif 000006
【図５】
2004016401.tif 000007
【図６】
2004016401.tif 000008
【図７】
2004016401.tif 000009
【図８】
2004016401.tif 000010
【図９】
2004016401.tif 000011